(57)【要約】【課題】熱中症対策として、空調の無い屋外や工場等の作業時または、高齢者に携帯する小型エアコンを提供する。【解決手段】２層式の本体の内部に装備された軸流ファンにより外気を取入れ、氷や保冷材とで熱交換を行い、冷風を発生させ、更に超音波ミスト発生器より発生するミストを含んだ空気を人体の上着と下着との中間位置に装着した給気管よりミストを含んだ冷風を供給する事で、体温の低下を図り熱中症を防止するものである。【選択図】図１
2017053611.tif 000002
【特許請求の範囲】
【請求項１】
本体が外壁と内壁の２層体なのは、内外の温度差による結露の防止や保温性の向上を目的としていて、前記本体の上部には、開閉用の上蓋を備え、前記上蓋を開くと中蓋に電池ユニットが固定バンドにて固定され、前記電池ユニットには充電式電池が数本とスイッチを備えて居り、前記中蓋の下部には前記本体の前記外壁に外気導入口を備え、超音波ミスト発生器、形成された氷又は保冷材、軸流ファン、の順に配置され、前記中蓋に設けた前記電池ユニットのスイッチを入れると、前記軸流ファンと超音波ミスト発生器の電源が入り、前記軸流ファンは作動して、前記外気導入口より外気を導入し、前記超音波ミスト発生器より発生するミストを吸収した空気が、前記成形された氷又は保冷材を通過する際に、熱交換を行なう事により発生するミストを含んだ冷風は、前記軸流ファンを通過して、前記軸流ファンの直近の前記外壁に備えた給気エルボへ供給され、前記形成された氷又は保冷材と外気とで熱交換を行うことで発生する氷の融解水や、保冷材の結露水は前記仕切板に設けた連通口を経由して流れ、前記超音波ミスト発生器が水を吸収する事でミストを発生し、循環システムを形成して、前記本体に溜まる水の処理は不要となるように構成されていることを特徴とするマイクロ携帯エアコン。
【請求項２】
前記本体は、人体の前後左右の腰部に装着され、前記本体より発生するミストを含む冷風は、上着と下着の中間に位置する蛇腹ホースを経て、給気管を経由し吹出口より給気し、前記上着と下着の内部に充満して、人体が発する汗や人体に附着したミストが気化熱で冷却され、首襟から首や顔に吹出す事で、更に涼しくなるように構成されたマイクロ携帯エアコン。
【発明の詳細な説明】
【技術分野】
【０００１】本発明は、熱中症対策として、屋外や工場等の作業時や高齢者に携帯するマイクロ携帯エアコンに関するものである。
【背景技術】
【０００２】ボックス内に保冷材を内蔵し、冷風を供給するものであり、保冷材の交換頻度を少なくして、作業性を向上する。（特許文献１参照）
【先行技術文献】
【特許文献】
【０００３】
【特許文献１】特開２０１４−４４０４３号公報
【発明の概要】
【発明が解決しようとする課題】
【０００４】しかしながらこの方式では、「保冷材の交換頻度が少なくなる。」ということは、熱交換効率が低いということです。また、熱交換時に発生する結露水の処理がなされていない為、定期的に水処理が必要となり不便です。
また、本体に複数の仕切部材を設け、この間に保冷材を収容し、送風機入口から送風機出口までの距離を長く取ることが望ましいとあるが、送風機の静圧が大きくなり風量が減少して冷風の発生能力を低下させる。（特許文献１）
【課題を解決するための手段】
【０００５】下記の課題を解決すべく、本発明は以下の構成を提供する。
本体が外壁と内壁の２層体なのは、内外の温度差による結露の防止や保温性の向上を目的としていて、前記本体の上部には、開閉用の上蓋を備え、前記上蓋を開くと中蓋に電池ユニットが固定バンドにて固定され、前記電池ユニットには充電式電池が数本とスイッチを備えて居り、前記中蓋の下部には前記本体の前記外壁に外気導入口を備え、超音波ミスト発生器、形成された氷又は保冷材、軸流ファン、の順に配置され、前記中蓋に設けた前記電池ユニットのスイッチを入れると、前記軸流ファンと超音波ミスト発生器の電源が入り、前記軸流ファンは作動して、前記外気導入口より外気を導入し、前記超音波ミスト発生器より発生するミストを吸収した空気が、前記成形された氷又は保冷材を通過する際に、熱交換を行なう事により発生するミストを含んだ冷風は、前記軸流ファンを通過して、前記軸流ファンの直近の前記外壁に備えた給気エルボへ供給され、前記形成された氷又は保冷材と外気とで熱交換を行うことで発生する氷の融解水や、保冷材の結露水は前記仕切板に設けた連通口を経由して流れ、前記超音波ミスト発生器が水を吸収する事でミストを発生し、循環システムを形成して、前記本体に溜まる水の処理は不要となるように構成されたマイクロ携帯エアコン。【０００６】前記本体は、人体の前後及び左右の腰部に装着され、前記本体より発生するミストを含む冷風は、上着と下着の中間に位置する蛇腹ホースを経て、給気管を経由し吹出口より給気し、前記上着と下着の内部に充満して、人体が発する汗や人体に附着したミストが気化熱で冷却され、首襟から首や顔に排出す事で、更に涼しくなるように構成されたマイクロ携帯エアコン。
【発明の効果】
【０００７】本発明の請求項１記載の発明によれば、本体が外壁と内壁の２層体なのは、内外の温度差による結露の防止や保温性の向上を目的としていて、前記本体の上部には、開閉用の上蓋を備え、前記上蓋を開くと中蓋に電池ユニットが固定バンドにて固定され、前記電池ユニットには充電式電池が数本とスイッチを備えて居り、前記中蓋の下部には前記本体の前記外壁に外気導入口を備え、超音波ミスト発生器、形成された氷又は保冷材、軸流ファン、の順に配置され、前記中蓋に設けた前記電池ユニットのスイッチを入れると、前記軸流ファンと超音波ミスト発生器の電源が入り、前記軸流ファンは作動して、前記外気導入口より外気を導入し、前記超音波ミスト発生器より発生するミストを吸収した空気が、前記成形された氷又は保冷材を通過する際に、熱交換を行なう事により発生するミストを含んだ冷風は、前記軸流ファンを通過して、前記軸流ファンの直近の前記外壁に備えた給気エルボへ供給され、前記形成された氷又は保冷材と外気とで熱交換を行うことで発生する氷の融解水や、保冷材の結露水は前記仕切板に設けた連通口を経由して流れ、前記超音波ミスト発生器が水を吸収する事でミストを発生し、循環システムを形成して、前記本体に溜まる水の処理は不要となるように構成されていることを特徴とするマイクロ携帯エアコンを提供するものである。【０００８】本発明の請求項２記載の発明によれば、前記本体は、人体の前後及び左右の腰部に装着され、前記本体より発生するミストを含む冷風は、上着と下着の中間に位置する蛇腹ホースを経て、給気管を経由し吹出口より給気し、前記上着と下着の内部に充満して、人体が発する汗や人体に附着したミストが気化熱で冷却され、首襟から首や顔に排出す事で、更に涼しくなるように構成されたマイクロ携帯エアコンを提供するものである。
【図面の簡単な説明】
【０００９】
【図１】本発明の請求項１によるマイクロ携帯エアコンの実施形態を示す平面及び断面図  〜内部詳細図
【図２】本発明の請求項１によるマイクロ携帯エアコンの実施形態を示す平面及び立面図  〜外観図
【図３】本発明の請求項２によるマイクロ携帯エアコンの実施形態を示す姿図  〜装着時の全体図
【発明を実施するための形態】
【００１０】請求項１、による実施形態を示す図１から図２を参照にして説明すると、本体（１）は外壁（１−ａ）と内壁（１−ｂ）の２層式になっていて、空気層を設ける事で内外の温度差による結露の防止や保温効果が望めます。また、上部の上蓋（２）を開くと中蓋（１０）に電池ユニット（５）が固定バンド（７）により固定されて、前記電池ユニット（５）には充電式電池が数本と電源のＯＮ、ＯＦＦスイッチを備えています。
【００１１】また、前記中蓋（１０）の下部には、前記本体（１）の前記外壁（１−ａ）に外気導入口（９）を設け、超音波ミスト発生器（６）、成形された氷、又は保冷材（４）、軸流ファン（３）、の順に配置されています。また、前記軸流ファン（３）の直近の前記外壁（１−ａ）に給気エルボ（８）を備えていて、ここより人体（１８）へ供給されます。
【００１２】前記中蓋（１０）に設けた前記電池ユニット（５）のスイッチを入れると、前記軸流ファン（３）と超音波ミスト発生器（６）の電源が入り、前記軸流ファン（３）は作動して、前記外気導入口（９）より外気を導入します。また、前記超音波ミスト発生器（６）より発生するミストを吸収した空気が、前記成形された氷又は保冷材（４）を通過する際に熱交換を行なう事により発生する冷風は、前記軸流ファン（３）を通過して、前記給気エルボ（８）へ供給されます。
【００１３】この際、前記形成された氷又は保冷材（４）の氷は融解水を、保冷材は結露水を発生し、仕切板（１６）に設けた連通口（１５）を経由して流れ、前記超音波ミスト発生器（６）へ吸収され霧となって供給されます。このように氷は固体から融けて液体（水）となり、その液体は霧となる事で、循環システムを形成して、前記本体（１）に溜まる水の処理は不要となります。
【００１４】請求項２、による実施形態を示す図３を参照にして説明すると、前記本体（１）は人体（１８）の前後左右の腰部に装着され、前記本体（１）より発生するミストを含む冷風は、上着（１７）と下着の中間に配置された、蛇腹ホース（１１−ａ）を経て給気管（１１）を経由し、吹出口（１２）より給気します。また、前記給気管（１１）と前記人体（１８）の接触部分には、軟質ゴムバンド（１４）でサポートして前記人体（１８）への負荷を最小にします。
【００１５】また、前記本体（１）より発生する冷風は、前記上着（１７）と下着の間に充満して、前記人体（１８）の汗や前記人体（１８）に附着したミストが気化熱で冷却され、首襟より排出され首や顔へ吹出します。この際、更に、首や顔を涼しくなるように構成されたマイクロ携帯エアコン。
【符号の説明】
【００１６】１        本体
１−ａ    外壁
１−ｂ    内壁
２        上蓋
３        軸流ファン
４        形成された氷又は保冷材
５        電池ユニット（充電式電池と本体表面にスイッチを装備）
５−ａ    ケーブル
６        超音波ミスト発生器
７        固定バンド
８        給気エルボ
９        外気導入口
１０      中蓋
１１      給気管
１１−ａ  蛇腹ホース
１２      吹出口
１３      給気管吊りバンド
１４      軟質ゴムバンド（シリコン製）
１５      連通口
１６      仕切板
１７      上着
１８      人体
【図１】
2017053611.tif 000003
【図２】
2017053611.tif 000004
【図３】
2017053611.tif 000005
【手続補正書】
【提出日】平成27年12月24日(2015.12.24)
【手続補正１】
【補正対象書類名】明細書
【補正対象項目名】全文
【補正方法】変更
【補正の内容】
【発明の詳細な説明】
【技術分野】
【０００１】本発明は、熱中症対策として、屋外や工場等の作業時や高齢者に携帯する携帯型エアーコンデショナーに関するものである。
【背景技術】
【０００２】ボックス内に保冷材を内蔵し、冷風を供給するものであり、保冷材の交換頻度を少なくして、作業性を向上する。（特許文献１参照）
【先行技術文献】
【特許文献】
【０００３】
【特許文献１】特開２０１４−４４０４３号公報
【発明の概要】
【発明が解決しようとする課題】
【０００４】しかしながらこの方式では、「保冷材の交換頻度が少なくなる。」ということは、熱交換効率が低いということです。また、熱交換時に発生する結露水の処理がなされていない為、定期的に水処理が必要となり不便です。
また、本体に複数の仕切部材を設け、この間に保冷材を収容し、送風機入口から送風機出口までの距離を長く取ることが望ましいとあるが、送風機の静圧が大きくなり風量が減少して冷風の発生能力を低下させる。（特許文献１）
【課題を解決するための手段】
【０００５】下記の課題を解決すべく、本発明は以下の構成を提供する。空調ユニット（１）が外容器（１‐ａ）と内容器（１‐ｂ）の２層体なのは、外気温と前記空調ユニット（１）内部の温度差による結露防止と保温性の向上を目的としていて、前記空調ユニット（１）の上蓋（２）を開くと、内部の中蓋（１０）には、電池ユニット又は、バッテリーユニット（５）が装備され、前記電池ユニット又は、バッテリーユニット（５）には電源スイッチを備えて居り、前記上蓋（２）の天端には外気導入口（９）を設け、前記空調ユニット（１）の内部には、超音波ミスト発生器（６）、形成された氷（４）又は、保冷材（４‐ａ）、軸流ファン（３）、の順に配置され、前記軸流ファン（３）の直近で側面の内部容器（１‐ｂ）と外部容器（１‐ａ）を貫通した位置に給気エルボ（８）を設け、前記電池ユニット又は、バッテリーユニット（５）の電源スイッチを入れると、前記軸流ファン（３）が作動して、前記外気導入口（９）より外気を導入し、前記成形された氷（４）又は、保冷材（４‐ａ）へ導き、熱交換を行なう事により発生する冷風は、前記軸流ファン（３）を経て、前記給気エルボ（８）へ送風され、前記形成された氷（４）の融解水や前記保冷材（４‐ａ）から発生する結露水が、仕切板（１６）に設けた連通口（１５）を経由して流れ、前記空調ユニット（１）の底部に溜り、前記形成された氷（４）又は、前記保冷材（４‐ａ）の融解状況に応じて、前記電池ユニット（５）に装備された、前記超音波ミスト発生器（６）の電源スイッチを入れると作動し、前記形成された氷（４）の融解水又は、前記保冷材（４‐ａ）からの結露水を吸収して、ミストを成生し、混合空気となり、人体に供給することで、ミストの気化熱を利用した効率的な冷却作用となり、前記空調ユニット（１）に溜まる水の再利用を行う、好循環システムが構成された携帯型エアーコンデショナー。【０００６】前記空調ユニット（１）は、前記人体（１８）の腰に装着され、前記空調ユニット（１）より発生する冷風及び、空気と混合したミストが蛇腹ホース（１１‐ａ）を経由して、下着（１７）と上着との中間位置で、下腹部の位置に帯状に巻付けた給気ホース（１１）に吹出口（１２）を前後に設け、一連の操作手順として、冷風のみを首筋に向けて供給した後に、ミストを含んだ混合空気を供給する方法と、冷風とミストを同時に併用して供給する方法を、自在に使い分けできるように構成された携帯型エアーコンデショナー。
【発明の効果】
【０００７】本発明の請求項１記載の発明によれば、空調ユニット（１）が外容器（１‐ａ）と内容器（１‐ｂ）の２層体なのは、外気温と前記空調ユニット（１）内部の温度差による結露防止と保温性の向上を目的としていて、前記空調ユニット（１）の上蓋（２）を開くと、内部の中蓋（１０）には、電池ユニット又は、バッテリーユニット（５）が装備され、前記電池ユニット又は、バッテリーユニット（５）には電源スイッチを備えて居り、前記上蓋（２）の天端には外気導入口（９）を設け、前記空調ユニット（１）の内部には、超音波ミスト発生器（６）、形成された氷（４）又は、保冷材（４‐ａ）、軸流ファン（３）、の順に配置され、前記軸流ファン（３）の直近で側面の内部容器（１‐ｂ）と外部容器（１‐ａ）を貫通した位置に給気エルボ（８）を設け、前記電池ユニット又は、バッテリーユニット（５）の電源スイッチを入れると、前記軸流ファン（３）が作動して、前記外気導入口（９）より外気を導入し、前記成形された氷（４）又は、保冷材（４‐ａ）へ導き、熱交換を行なう事により発生する冷風は、前記軸流ファン（３）を経て、前記給気エルボ（８）へ送風され、前記形成された氷（４）の融解水や前記保冷材（４‐ａ）から発生する結露水が、仕切板（１６）に設けた連通口（１５）を経由して流れ、前記空調ユニット（１）の底部に溜り、前記形成された氷（４）又は、前記保冷材（４‐ａ）の融解状況に応じて、前記電池ユニット（５）に装備された、前記超音波ミスト発生器（６）の電源スイッチを入れると作動し、前記形成された氷（４）の融解水又は、前記保冷材（４‐ａ）からの結露水を吸収して、ミストを成生し、混合空気となり、人体に供給することで、ミストの気化熱を利用した効率的な冷却作用となり、前記空調ユニット（１）に溜まる水の再利用を行う、好循環システムが構成されていることを特徴とする、携帯型エアーコンデショナーを提供するものである。【０００８】本発明の請求項２記載の発明によれば、前記空調ユニット（１）は、前記人体（１８）の腰に装着され、前記空調ユニット（１）より発生する冷風及び、空気と混合したミストが蛇腹ホース（１１‐ａ）を経由して、下着（１７）と上着との中間位置で、下腹部の位置に帯状に巻付けた給気ホース（１１）に吹出口（１２）を前後に設け、一連の操作手順として、冷風のみを首筋に向けて供給した後に、ミストを含んだ混合空気を供給する方法と、冷風とミストを同時に併用して供給する方法を、自在に使い分けできるように構成されていることを特徴とする、携帯型エアーコンデショナーを提供するものである。
【図面の簡単な説明】
【０００９】
【図１】本発明の請求項１による携帯型エアーコンデショナーの実施形態を示す平面及び断面図    〜内部詳細図
【図２】本発明の請求項１による携帯型エアーコンデショナーの実施形態を示す平面及び立面図  〜外観図
【図３】本発明の請求項２による携帯型エアーコンデショナーの実施形態を示す姿図            〜装着時の全体図
【発明を実施するための形態】
【００１０】請求項１、による実施形態を示す図１から図２を参照にして説明すると、空調ユニット（１）は外部容器（１−ａ）と内部容器（１−ｂ）の２層式になっていて、空気層を設ける事で外気と空調ユニット（１）内部との温度差による結露の防止や保温性の向上が望めます。また、上部の上蓋（２）を開くと中蓋（１０）に電池ユニット又は、バッテリーユニット（５）が固定バンド（７）により固定され、軸流ファン（３）及び、超音波ミスト発生器（６）の電源スイッチを備えています。
【００１１】また、上蓋（２）の天端には、外気導入口（９）のガラリを設け、空調ユニット（１）の内部には、超音波ミスト発生器（６）、形成された氷（４）又は、保冷材（４‐ａ）、軸流ファン（３）の順に配置され、軸流ファン（３）の直近で側面の内部容器（１‐ｂ）と外部容器（１‐ａ）を貫通した位置に給気エルボ（８）を設けています。
【００１２】また、電池ユニット又は、バッテリーユニット（５）の電源スイッチを入れると、軸流ファン（３）は作動して、外気導入口（９）より外気を導入し、成形された氷（４）又は、保冷材（４‐ａ）へ導き、熱交換を行なう事により発生する冷風は、軸流ファン（３）を経て、給気エルボ（８）へ供給されます。
【００１３】この際、形成された氷（４）は融解水を、保冷材（４‐ａ）は結露水を発生し、仕切板（１６）に設けた連通口（１５）を経由して流れ、空調ユニット（１）の底部に溜ります。また、融解状況に応じて、電池ユニット（５）に装備された、超音波ミスト発生器（６）の電源スイッチを入れ、作動させ、形成された氷（４）の融解水や保冷材（４‐ａ）からの結露水を吸収して、ミストを成生し人体に供給することで、冷風による冷房からミストの気化熱を利用した効率的な冷却作用を継続的に行い、更に、空調ユニット（１）に溜まる水の処理は不要となるような、好循環システムが構成されています。
【００１４】請求項２、による実施形態を示す図３を参照にして説明すると、空調ユニット（１）は、人体（１８）の腰に装着され、空調ユニット（１）より発生する冷風や、空気と混合したミストが蛇腹ホース（１１‐ａ）を経由して、下着（１７）と上着との中間位置で、下腹部の位置に帯状に巻付けた給気ホース（１１）に吹出口（１２）を前後に設け、冷風を首筋に向けて吹出す冷却方法の後に、ミストを含んだ空気を供給する方法と、冷風とミストを同時に併用する方法も、自在に使い分けできるように構成されています。
【００１５】また、給気ホース（１１）と人体（１８）の接触部分には、軟質ゴムバンド（１４）でサポートして人体（１８）への負荷を最小にします。
【符号の説明】
【００１６】１        空調ユニット
１−ａ    外容器
１−ｂ    内容器
２        上蓋
３        軸流ファン
４        形成された氷
４‐ａ 保冷材
５        電池ユニット又は、バッテリーユニット（軸流ファン及び超音波ミスト発生器          の電源入・切スイチ付）
５−ａ    ケーブル
６        超音波ミスト発生器
７        固定バンド
８        給気エルボ
９        外気導入口
１０      中蓋
１１      給気ホース
１１−ａ  蛇腹ホース
１２      吹出口
１３      給気管吊りバンド
１４      軟質ゴムバンド（シリコン製）
１５      連通口
１６      仕切板
１７      下着
１８      人体
【手続補正２】
【補正対象書類名】特許請求の範囲
【補正対象項目名】全文
【補正方法】変更
【補正の内容】
【特許請求の範囲】
【請求項１】
空調ユニット（１）が外容器（１‐ａ）と内容器（１‐ｂ）の２層体なのは、外気温と前記空調ユニット（１）内部の温度差による結露防止と保温性の向上を目的としていて、前記空調ユニット（１）の上蓋（２）を開くと、内部の中蓋（１０）には、電池ユニット又は、バッテリーユニット（５）が装備され、前記電池ユニット又は、バッテリーユニット（５）には電源スイッチを備えて居り、前記上蓋（２）の天端には外気導入口（９）を設け、前記空調ユニット（１）の内部には、超音波ミスト発生器（６）、形成された氷（４）又は、保冷材（４‐ａ）、軸流ファン（３）、の順に配置され、前記軸流ファン（３）の直近で側面の内部容器（１‐ｂ）と外部容器（１‐ａ）を貫通した位置に給気エルボ（８）を設け、前記電池ユニット又は、バッテリーユニット（５）の電源スイッチを入れると、前記軸流ファン（３）が作動して、前記外気導入口（９）より外気を導入し、前記成形された氷（４）又は、保冷材（４‐ａ）へ導き、熱交換を行なう事により発生する冷風は、前記軸流ファン（３）を経て、前記給気エルボ（８）へ送風され、前記形成された氷（４）の融解水や前記保冷材（４‐ａ）から発生する結露水が、仕切板（１６）に設けた連通口（１５）を経由して流れ、前記空調ユニット（１）の底部に溜り、前記形成された氷（４）又は、前記保冷材（４‐ａ）の融解状況に応じて、前記電池ユニット（５）に装備された、前記超音波ミスト発生器（６）の電源スイッチを入れると作動し、前記形成された氷（４）の融解水又は、前記保冷材（４‐ａ）からの結露水を吸収して、ミストを成生し、混合空気となり、人体に供給することで、ミストの気化熱を利用した効率的な冷却作用となり、前記空調ユニット（１）に溜まる水の再利用を行う、好循環システムが構成されていることを特徴とする、携帯型エアーコンデショナー。
【請求項２】
前記空調ユニット（１）は、前記人体（１８）の腰に装着され、前記空調ユニット（１）より発生する冷風及び、空気と混合したミストが蛇腹ホース（１１‐ａ）を経由して、下着（１７）と上着との中間位置で、下腹部の位置に帯状に巻付けた給気ホース（１１）に吹出口（１２）を前後に設け、一連の操作手順として、冷風のみを首筋に向けて供給した後に、ミストを含んだ混合空気を供給する方法と、冷風とミストを同時に併用して供給する方法を、自在に使い分けできるように構成されていることを特徴とする、携帯型エアーコンデショナー。
【手続補正３】
【補正対象書類名】図面
【補正対象項目名】図１
【補正方法】変更
【補正の内容】
【図１】
2017053611.tif 000006
【手続補正４】
【補正対象書類名】図面
【補正対象項目名】図２
【補正方法】変更
【補正の内容】
【図２】
2017053611.tif 000007
【手続補正書】
【提出日】平成28年5月23日(2016.5.23)
【手続補正１】
【補正対象書類名】明細書
【補正対象項目名】全文
【補正方法】変更
【補正の内容】
【発明の詳細な説明】
【技術分野】
【０００１】本発明は、熱中症対策として、屋外や工場等の作業時や高齢者に携帯する携帯型エアーコンデショナーに関するものである。
【背景技術】
【０００２】ボックス内に保冷材を内蔵し、冷風を供給するものであり、保冷材の交換頻度を少なくして、作業性を向上する。（特許文献１参照）
【先行技術文献】
【特許文献】
【０００３】
【特許文献１】  特開２０１４−４４０４３号公報
【発明の概要】
【発明が解決しようとする課題】
【０００４】しかしながらこの方式では、「保冷材の交換頻度が少なくなる。」ということは、熱交換効率が低いということです。また、熱交換時に発生する結露水の処理がなされていない為、定期的に水処理が必要となり不便です。
また、本体に複数の仕切部材を設け、この間に保冷材を収容し、送風機入口から送風機出口までの距離を長く取ることが望ましいとあるが、送風機の静圧が大きくなり風量が減少して冷風の発生能力を低下させる。（特許文献１）
【課題を解決するための手段】
【０００５】下記の課題を解決すべく、本発明は以下の構成を提供する。空調ユニット（１）が外容器（１‐ａ）と内容器（１‐ｂ）の２層体なのは、外気温と前記空調ユニット（１）内部の温度差による結露防止と保温性の向上を目的としていて、前記空調ユニット（１）の上蓋（２）を開くと、内部の中蓋（１０）には、電池ユニット（５）が装備され、前記電池ユニット（５）には電源スイッチを備えて居り、前記空調ユニット（１）の中蓋（１０）の下部で外部側面には、外気導入口（９）を設け、超音波ミスト発生器（６）、形成された氷又は保冷材（４）、軸流ファン（３）、の順に配置され、前記軸流ファン（３）の直近で前記空調ユニット（１）の側面に給気エルボ（８）を設け、前記電池ユニット（５）の電源スイッチを入れると、前記軸流ファン（３）及び前記超音波ミスト発生器（６）が作動して、前記外気導入口（９）より外気を導入され、前記成形された氷又は保冷材（４）へ導き、熱交換を行なう事により発生するミストを含んだ冷風は、前記軸流ファン（３）を経て、前記給気エルボ（８）へ送風され、前記形成された氷の融解水や前記保冷材から発生する結露水が、仕切板（１６）に設けた連通口（１５）を経由して流れ、前記空調ユニット（１）の底部に溜り、前記超音波ミスト発生器（６）は水を吸収する事でミストを成生し、混合空気となり、人体に供給することで、ミストの気化熱を利用した効率的な冷却作用となり、前記空調ユニット（１）に溜まる水の再利用を行う、好循環システムが構成されていることを特徴とする、携帯型エアーコンデショナー。【０００６】  前記空調ユニット（１）は、前記人体（１８）の腰に装着され、前記空調ユニット（１）より発生する冷風及び、空気と混合したミストが蛇腹ホース（１１‐ａ）を経由して、下着（１７）と上着との中間部で、下腹部の位置に帯状に巻付けた給気管（１１）に吹出口（１２）を前後に設け、腹部や胸部に吹出し、更に首襟から首や顔に吹出すことで、人体（１８）を冷却し、熱中症対策及び予防となるように構成されていることを特徴とする、携帯型エアーコンデショナー。
【発明の効果】
【０００７】本発明の請求項１記載の発明によれば、空調ユニット（１）が外容器（１‐ａ）と内容器（１‐ｂ）の２層体なのは、外気温と前記空調ユニット（１）内部の温度差による結露防止と保温性の向上を目的としていて、前記空調ユニット（１）の上蓋（２）を開くと、内部の中蓋（１０）には、電池ユニット（５）が装備され、前記電池ユニット（５）には電源スイッチを備えて居り、前記空調ユニット（１）の中蓋（１０）の下部で外部側面には、外気導入口（９）を設け、超音波ミスト発生器（６）、形成された氷又は保冷材（４）、軸流ファン（３）、の順に配置され、前記軸流ファン（３）の直近で前記空調ユニット（１）の側面に給気エルボ（８）を設け、前記電池ユニット（５）の電源スイッチを入れると、前記軸流ファン（３）及び前記超音波ミスト発生器（６）が作動して、前記外気導入口（９）より外気を導入され、前記成形された氷又は保冷材（４）へ導き、熱交換を行なう事により発生するミストを含んだ冷風は、前記軸流ファン（３）を経て、前記給気エルボ（８）へ送風され、前記形成された氷の融解水や前記保冷材から発生する結露水が、仕切板（１６）に設けた連通口（１５）を経由して流れ、前記空調ユニット（１）の底部に溜り、前記超音波ミスト発生器（６）は水を吸収する事でミストを成生し、混合空気となり、人体に供給することで、ミストの気化熱を利用した効率的な冷却作用となり、前記空調ユニット（１）に溜まる水の再利用を行う、好循環システムが構成されていることを特徴とする、携帯型エアーコンデショナー。【０００８】前記空調ユニット（１）は、前記人体（１８）の腰に装着され、前記空調ユニット（１）より発生する冷風及び、空気と混合したミストが蛇腹ホース（１１‐ａ）を経由して、下着（１７）と上着との中間部で、下腹部の位置に帯状に巻付けた給気管（１１）に吹出口（１２）を前後に設け、腹部や胸部に吹出し、更に首襟から首や顔に吹出すことで、人体（１８）を冷却し、熱中症対策及び予防となるように構成されていることを特徴とする、携帯型エアーコンデショナー。
【図面の簡単な説明】
【０００９】
【図１】本発明の請求項１による携帯型エアーコンデショナーの実施形態を示す平面及び断面図  〜内部詳細図
【図２】本発明の請求項１による携帯型エアーコンデショナーの実施形態を示す平面及び立面図  〜外観図
【図３】本発明の請求項２による携帯型エアーコンデショナーの実施形態を示す姿図  〜装着時の全体図
【発明を実施するための形態】
【００１０】請求項１、による実施形態を示す図１から図２を参照にして説明すると、空調ユニット（１）は外容器（１−ａ）と内容器（１−ｂ）の２層式になっていて、空気層を設ける事で内外の温度差による結露の防止や保温効果が望めます。また、上部の上蓋（２）を開くと中蓋（１０）に電池ユニット（５）が固定バンド（７）により固定されて、前記電池ユニット（５）には充電式電池が数本と電源のＯＮ、ＯＦＦスイッチを備えています。
【００１１】また、前記中蓋（１０）の下部には、前記空調ユニット（１）の前記外容器（１−ａ）に外気導入口（９）を設け、超音波ミスト発生器（６）、成形された氷又は保冷材（４）、軸流ファン（３）、の順に配置されています。また、前記軸流ファン（３）の直近の前記外容器（１−ａ）には、給気エルボ（８）を備えていて、ここより人体（１８）へ供給されます。
【００１２】前記中蓋（１０）に設けた前記電池ユニット（５）のスイッチを入れると、前記軸流ファン（３）と超音波ミスト発生器（６）の電源が入り、前記軸流ファン（３）は作動して、前記外気導入口（９）より外気を導入します。また、前記超音波ミスト発生器（６）より発生するミストを吸収した空気が、前記成形された氷又は保冷材（４）を通過する際に熱交換を行なう事により発生する冷風は、前記軸流ファン（３）を通過して、前記給気エルボ（８）へ供給されます。
【００１３】この際、前記形成された氷又は保冷材（４）の氷は融解水を、前記保冷材は結露水を発生し、仕切板（１６）に設けた連通口（１５）を経由して流れ、前記超音波ミスト発生器（６）へ吸収され霧となって供給されます。このように氷は固体から融けて液体（水）となり、その液体は霧となる事で、循環システムを形成して、前記本体（１）に溜まる水の処理は不要となります。
【００１４】請求項２、による実施形態を示す図３を参照にして説明すると、前記空調ユニット（１）は人体（１８）の前後左右の腰部に装着され、前記本体（１）より発生するミストを含む冷風は、上着（１７）と下着の中間に配置された、蛇腹ホース（１１−ａ）を経て給気管（１１）を経由し、吹出口（１２）より給気します。また、前記給気管（１１）と前記人体（１８）の接触部分には、軟質ゴムバンド（１４）でサポートして前記人体（１８）への負荷を最小にします。
【００１５】また、前記本体（１）より発生する冷風は、前記上着（１７）と下着の間に充満して、前記人体（１８）の汗や前記人体（１８）に附着したミストが気化熱で冷却され、首襟より排出され首や顔へ吹出します。この際、更に、首や顔を涼しくなるように構成されたマイクロ携帯エアコン。
【符号の説明】
【００１６】１        空調ユニット
１−ａ    外容器
１−ｂ    内容器
２        上蓋
３        軸流ファン
４        形成された氷又は保冷材
５        電池ユニット（充電式電池とスイッチを装備）
５−ａ    ケーブル
６        超音波ミスト発生器
７        固定バンド
８        給気エルボ
９        外気導入口
１０      中蓋
１１      給気管
１１−ａ  蛇腹ホース
１２      吹出口
１３      給気管吊りバンド
１４      軟質ゴムバンド（シリコン製）
１５      連通口
１６      仕切板
１７      上着
１８      人体
【手続補正２】
【補正対象書類名】特許請求の範囲
【補正対象項目名】全文
【補正方法】変更
【補正の内容】
【特許請求の範囲】
【請求項１】
空調ユニット（１）が外容器（１‐ａ）と内容器（１‐ｂ）の２層体なのは、外気温と前記空調ユニット（１）内部の温度差による結露防止と保温性の向上を目的としていて、前記空調ユニット（１）の上蓋（２）を開くと、内部の中蓋（１０）には、電池ユニット（５）が装備され、前記電池ユニット（５）には電源スイッチを備えて居り、前記空調ユニット（１）の中蓋（１０）の下部で外部側面には、外気導入口（９）を設け、超音波ミスト発生器（６）、形成された氷又は保冷材（４）、軸流ファン（３）、の順に配置され、前記軸流ファン（３）の直近で前記空調ユニット（１）の側面に給気エルボ（８）を設け、前記電池ユニット（５）の電源スイッチを入れると、前記軸流ファン（３）及び前記超音波ミスト発生器（６）が作動して、前記外気導入口（９）より外気を導入され、前記成形された氷又は保冷材（４）へ導き、熱交換を行なう事により発生するミストを含んだ冷風は、前記軸流ファン（３）を経て、前記給気エルボ（８）へ送風され、前記形成された氷の融解水や前記保冷材から発生する結露水が、仕切板（１６）に設けた連通口（１５）を経由して流れ、前記空調ユニット（１）の底部に溜り、前記超音波ミスト発生器（６）は水を吸収する事でミストを成生し、混合空気となり、人体に供給することで、ミストの気化熱を利用した効率的な冷却作用となり、前記空調ユニット（１）に溜まる水の再利用を行う、好循環システムが構成されていることを特徴とする、携帯型エアーコンデショナー。
【請求項２】
前記空調ユニット（１）は、前記人体（１８）の腰に装着され、前記空調ユニット（１）より発生する冷風及び、空気と混合したミストが蛇腹ホース（１１‐ａ）を経由して、下着（１７）と上着との中間部で、下腹部の位置に帯状に巻付けた給気管（１１）に吹出口（１２）を前後に設け、腹部や胸部に吹出し、更に首襟から首や顔に吹出すことで、人体（１８）を冷却し、熱中症対策及び予防となるように構成されていることを特徴とする、携帯型エアーコンデショナー。